(57)【要約】【課題】操作性の良い位置検出端末及び位置検出システムを提供する。【解決手段】本発明は、地図情報を記憶する地図記憶部１と、地図情報の表示範囲を入力する地図エリア指定手段２と、自身の位置情報を取得する位置検出手段３と、この位置情報と地図情報を表示できる表示部４とを有し、地図情報の表示範囲が、あらかじめ設定された測位動作開始レベルの示す表示範囲よりも狭く指定されたときに位置検出手段３を動作させる測位起動部５を備えた位置検出端末Ｔであることを特徴としている。【選択図】  図１
2004239803.tif 000002
【特許請求の範囲】
【請求項１】
地図情報を記憶する地図記憶部と、地図情報の表示範囲を入力する地図エリア指定手段と、自身の位置情報を取得する位置検出手段と、この位置情報と地図情報を表示できる表示部とを有し、地図情報の表示範囲が、あらかじめ設定された測位動作開始レベルの示す表示範囲よりも狭く指定されたときに位置検出手段を動作させる測位起動部を備えたことを特徴とする位置検出端末。
【請求項２】
位置検出手段は、互いに異なる複数の測位手法を用いて測位することができるものであり、測位起動部は、複数の測位動作開始レベルにより測位手法を選択して位置検出手段を動作させるものであることを特徴とする請求項１記載の位置検出端末。
【請求項３】
地図情報を記憶する地図記憶部と、通信回線を介して外部と情報通信を行う第１の通信制御部とを有する地図情報サーバと、
地図情報の表示範囲を入力する地図エリア指定手段と、自身の位置情報を取得する位置検出手段と、この位置情報と地図情報を表示できる表示部と、通信回線を介して第１の通信制御部と情報通信を行う第２の通信制御部と、を有する位置検出端末と、を有し、
第２の通信制御部は、地図エリア指定手段により指定された、地図情報の表示範囲の情報を第１の通信制御部に送信し、第１の通信制御部は、この表示範囲の情報に応じた地図情報を第２の通信制御部に送信し、位置検出端末もしくは地図情報サーバは、地図情報の表示範囲があらかじめ設定された測位動作開始レベルの示す表示範囲よりも狭く指定されたときに前記位置検出手段を動作させる測位起動部を備えることを特徴とする位置検出システム。
【発明の詳細な説明】
【０００１】
【発明の属する技術分野】
本発明は、自身の位置を検出する位置検出端末及び位置検出システムに関する。
【０００２】
【従来の技術】
位置検出端末は、自身の位置情報を検出して、その使用者に位置情報を知らせるものである。このものの一形態として、特開平１−２７６０８４号公報は、複数の地図データを記憶している地図データベースと、地図データベースの中から地図を選択し、その地図の概略位置を設定する地図選択手段と、地図を表示する表示手段と、概略位置から受信可能な通信衛星を求めて自己の位置を検出する位置検出手段と、地図と検出した位置とに基づいて表示手段上に図形表示を行う制御回路とを備える位置測位表示装置の構成について開示している。
【０００３】
【特許文献１】
特開平１−２７６０８４号公報
【０００４】
【発明が解決しようとする課題】
位置検出端末の使用者は、自身の概略位置（例えば、駅の名前など）を把握している場合が多い。そのため、その概略位置の精度が許容できる程度の縮尺の概略地図（例えば、市の広域地図など）から使用者の知りたい情報を得られる場合には、この概略地図を表示するだけでよく、位置検出手段を用いて位置情報を表示する必要はない。つまり、使用者は、概略地図よりも詳細な地図（例えば、駅周辺地図など）が必要となったときに位置検出手段を用いる必要とするのである。
【０００５】
しかしながら、前述の特開平１−２７６０８４号公報に開示された構成は、常に位置検出手段を用いることを前提としており、使用者が必要とする状態に応じて位置検出手段を用いるものではなかった。したがって、使用者が必要としていないときにも位置検出の処理を行うものであり、不要な電力を消費するものであった。
【０００６】
この課題に対応するため、使用者Ｈが必要とするときに任意に位置検出手段を用いることができる構成として図３に示すものが考えられている。このものは、地図情報を記憶する地図記憶部１と、地図情報の表示範囲を入力する地図エリア指定手段２と、自身の位置情報を取得する位置検出手段３と、この位置情報と地図情報を表示できる表示部４と、位置検出手段３を指導させる測位起動コマンドを入力する測位起動コマンド入力手段とを有して構成される。このものは、地図エリア指定手段２により概略位置を含む地図情報の表示範囲を指定され、その表示範囲に対応する地図記憶部に記憶されている地図情報を表示部４上に表示する。そして、このものは、測位起動コマンド入力手段８により、測位起動コマンドを位置検出手段３（ここでは、ＧＰＳ測位部３ａ）に入力されたときにのみ自身の位置を測位し、表示部４上に地図情報に重ね合わせて表示する。
【０００７】
このものは、使用者Ｈが必要なときにのみ位置検出手段３を起動することができるので有用である。しかしながら、使用者Ｈは、地図エリア指定手段２により地図情報の表示範囲を、測位起動コマンド入力手段８により測位起動コマンドをそれぞれ入力する必要がある。そのため、このものは、操作性の良いものではなかった。
【０００８】
本発明は、上記事由に鑑みてなしたもので、その目的とするところは、操作性の良い位置検出端末及び位置検出システムを提供することにある。
【０００９】
【課題を解決するための手段】
請求項１に係る発明は、地図情報を記憶する地図記憶部と、地図情報の表示範囲を入力する地図エリア指定手段と、自身の位置情報を取得する位置検出手段と、この位置情報と地図情報を表示できる表示部とを有し、地図情報の表示範囲が、あらかじめ設定された測位動作開始レベルの示す表示範囲よりも狭く指定されたときに位置検出手段を動作させる測位起動部を備えた位置検出端末であることを特徴としている。
【００１０】
したがって、測位起動部は、地図情報の表示範囲があらかじめ設定された測位動作開始レベルの示す表示範囲よりも狭く指定されたときに位置検出手段を動作させるので、使用者が地図エリア指定手段により地図情報の表示範囲を設定するだけで、測位動作開始レベルで設定された表示範囲の地図よりも表示範囲の狭い詳細な地図が必要なときにのみ位置検出手段が動作する、操作性の良い位置検出端末を提供できる。
【００１１】
請求項２に係る発明は、請求項１記載の位置検出端末において、位置検出手段は、互いに異なる複数の測位手法を用いて測位することができるものであり、測位起動部は、複数の測位動作開始レベルにより測位手法を選択して位置検出手段を動作させるものであることを特徴としている。
【００１２】
したがって、測位起動部は、複数の測位動作開始レベルにより測位手法を選択して位置検出手段を動作させるので、地図情報の表示範囲に応じて適切な位置検出手段を用いて測位することができる。
【００１３】
請求項３に係る発明は、地図情報を記憶する地図記憶部と、通信回線を介して外部と情報通信を行う第１の通信制御部とを有する地図情報サーバと、地図情報の表示範囲を入力する地図エリア指定手段と、自身の位置情報を取得する位置検出手段と、この位置情報と地図情報を表示できる表示部と、通信回線を介して第１の通信制御部と情報通信を行う第２の通信制御部と、を有する位置検出端末と、を有し、第２の通信制御部は、地図エリア指定手段により指定された、地図情報の表示範囲の情報を第１の通信制御部に送信し、第１の通信制御部は、この表示範囲の情報に応じた地図情報を第２の通信制御部に送信し、位置検出端末もしくは地図情報サーバは、地図情報の表示範囲があらかじめ設定された測位動作開始レベルの示す表示範囲よりも狭く指定されたときに前記位置検出手段を動作させる測位起動部を備える位置検出システムであることを特徴としている。
【００１４】
したがって、地図エリア指定手段により指定された表示範囲の情報を位置検出端末から地図情報サーバに送信し、この表示範囲の情報に応じた地図情報に加えて位置検出手段を動作させる信号を地図情報サーバから位置検出端末に送信するとともに、その表示範囲があらかじめ設定された測位動作開始レベルの示す表示範囲よりも狭く指定されたときに、地図情報サーバから位置検出端末の位置検出手段を動作させるので、使用者が位置検出端末の地図エリア指定手段により地図情報の表示範囲を設定するだけで、測位動作開始レベルで設定された縮尺の地図よりも表示範囲の狭い詳細な地図が必要なときにのみ位置検出手段が動作する、操作性の良い位置検出システムを提供することができる。
【００１５】
【発明の実施の形態】
（第１の実施形態）
次に、請求項１と請求項２の発明に係る位置検出端末の一実施形態を図１を用いて説明する。この位置検出端末Ｔは、使用者Ｈにより携帯され、操作されるものであり、地図記憶部１と、地図エリア指定手段２と、位置検出手段３と、表示部４と、測位起動部５とを有して構成されている。
【００１６】
地図記憶部１は、地図情報を記憶するものであり、例えばハードディスクなどの大容量の記憶装置により構成されている。このものは、地図エリア指定手段２と、位置検出手段３と、表示部４とに接続され、地図エリア指定手段２から入力される地図情報の表示範囲の情報（以後、表示範囲情報と呼ぶ）が入力され、その表示範囲情報に応じた地図情報を表示部４に出力する。ここで、表示範囲情報は、概略位置の座標（例えば、緯度、経度、高度）と、地図の縮尺とを有するものである。
【００１７】
地図エリア指定手段２は、例えば複数の押し釦やダイヤルなどにより文字や数値を入力するものであり、使用者Ｈにより操作されて表示範囲情報が入力される。例えば、使用者Ｈが、駅の名前と地図の縮尺を入力したときには、表示範囲情報は、地図情報中に含まれる駅の名前に対応する代表位置の座標と縮尺を有したものになる。また、縮尺を直接入力せずに、例えば、地図記憶部１に記憶されている広域地図、詳細地図などの地図の名称や、地図番号などの地図の種類によって入力し、それらの地図の情報から縮尺を得るようにしてもよい。このものは、地図記憶部１と、測位起動部５とに接続され、入力された表示範囲情報を地図記憶部１と、測位起動部５に出力する。
【００１８】
位置検出手段３は、位置検出端末Ｔ自身の位置情報を取得するものであり、互いに異なる複数の測位手法を用いる位置検出手段であるＧＰＳ測位部３ａと、無線基地局利用測位部３ｂとを有して構成されている。つまり、この位置検出手段３は、互いに異なる複数の測位手法を用いて測位することができるものである。このものは、表示部４と、測位起動部５とに接続されており、測位起動部５から測位制御信号が入力され、取得した位置情報を表示部４に出力する。ここでは、この位置情報は、座標として、緯度、経度、高度を有している。
【００１９】
ＧＰＳ測位部３ａは、ＧＰＳアンテナと、測位演算部とを有して構成されており、地球の上空を周回する所定数のＧＰＳ衛星（図示せず）からのＧＰＳ信号を用いて疑似距離を算出し自身の位置情報を取得する測位手法を用いるものである。このものの用いている測位手法の精度は、数ｍ〜数十ｍ程度となっている。ここで、所定数とは、緯度と経度を計測する２次元測位のときには３以上、緯度と経度に加えて高度を計測する３次元測位のときには４以上のことを示している。
【００２０】
無線基地局利用測位部３ｂは、携帯電話がどの無線基地局のセル内に位置しているかの情報により自身の位置情報を取得する測位手法を用いるものである。この測位手法の精度は、携帯電話の種類によって異なり、ＰＨＳ（Ｐｅｒｓｏｎａｌ  Ｈａｎｄｙｐｈｏｎｅ  Ｓｙｓｔｅｍ）のように１００ｍ〜数ｋｍ程度の比較的狭いものや、ＰＤＣ（Ｐｅｒｓｏｎａｌ  Ｄｉｇｉｔａｌ  Ｃｅｌｌｕｌａｒ）のように数ｋｍ〜数十ｋｍ程度の比較的広いものもある。無線基地局利用測位部３ｂの用いる測位手法は、ＧＰＳ測位部３ａが用いる測位手法と比較して、測位精度は劣るものの、測位速度が速く、携帯電話を使用できるところであれば屋内でも測位できるという特徴を有している。
【００２１】
表示部４は、位置情報と地図情報を表示できるものであり、例えば、液晶ディスプレイ（図示せず）と、表示する地図情報や位置情報を記憶する表示情報記憶部（図示せず）を有して構成されている。このものは、地図記憶部１と、位置検出手段３とに接続されており、地図記憶部１から地図情報が、位置検出手段３から位置情報が入力される。そして、入力された情報を画像処理して表示する。
【００２２】
測位起動部５は、位置検出手段３の動作を制御するものであり、地図エリア指定手段２と、位置検出手段３とに接続されている。そして、このものは、地図エリア指定手段２から、表示範囲情報を入力され、位置検出手段３に測位制御信号を出力する。このものは、位置検出手段３に測位動作を開始させる複数の（ここでは、２つの）測位動作開始レベルがあらかじめ設定されており、入力される表示範囲情報に応じた動作を行うように測位制御信号を位置検出手段３に出力する。この測位動作開始レベルは、地図情報の表示範囲を示すものであり、例えば縮尺や、記憶された地図名や、座標による範囲指定などで示される。ここでは、測位動作開始レベルは、縮尺で表現されており、２つの測位動作開始レベルのうち、広い範囲を示すものをレベルＡ、狭い範囲を示すものをレベルＢと呼ぶことにする。ただし、このレベルＡとレベルＢとは、ＧＰＳ測位部３ａと無線基地局利用測位部３ｂの位置検出の精度を考慮して設定される。
【００２３】
この測位起動部５は、まず、地図エリア指定手段２から入力された表示範囲情報と、あらかじめ設定されている測位動作開始レベルとを比較する。そして、表示範囲情報が、レベルＡよりも広い表示範囲に指定されたときには位置検出手段３が測位しないように、レベルＡとレベルＢの間の表示範囲を指定されたときには無線基地局利用測位部３ｂを用いて測位をするように、レベルＢよりも狭い表示範囲を指定されたときにはＧＰＳ測位部３ａを用いて測位するように、それぞれ制御する測位制御信号を出力する。つまり、測位起動部５は、複数の測位動作開始レベルにより測位手法を選択して位置検出手段を動作させる。
【００２４】
次に第１の実施形態の動作について説明する。ここでは、使用者Ｈが、ある駅の周辺にいて、位置検出端末Ｔを動作させる場合について説明する。まず、使用者Ｈは、地図エリア指定手段２を操作して、使用者Ｈのいる駅の名前と市の広域地図を指定して入力する。すると、地図エリア指定手段２は、それらを概略位置の座標と、縮尺に変換した表示範囲情報を測位起動部５と地図記憶部１に出力する。測位起動部５は、入力された縮尺が記憶された測位動作開始レベルのレベルＡの示す表示範囲よりも広い表示範囲を示すときには、測位起動部５は、位置検出手段３を動作しないように制御する測位制御信号を位置検出手段３に出力する。したがって、位置検出手段３は、測位動作を開始せず、位置情報を取得しない。一方、地図記憶部１は、入力された表示範囲情報に応じた地図情報を表示部４に出力する。よって、表示部４には、地図エリア指定手段２で指定された表示範囲情報に応じた地図情報が表示されるのみとなる。
【００２５】
次に、使用者Ｈが、詳細な情報を得るために地図エリア指定手段２を操作し、表示範囲がレベルＡとレベルＢの間となるように、（例えば、市の中心地図を指定するように）縮尺の値を変化させる。そうすると、測位起動部５は、無線基地局利用測位部３ｂを動作させるように制御する測位制御信号を位置検出手段３に出力する。そして、位置検出手段３は、無線基地局利用測位部３ｂを用いて位置情報を取得し、この位置情報を表示部４に出力する。したがって、表示部４は、地図エリア指定手段２で指定された表示範囲情報に応じた地図情報に、無線基地局利用測位部３ｂにより取得された位置情報を重ね合わせて表示する。
【００２６】
さらに、使用者Ｈが、より詳細な情報を得るために地図エリア指定手段２を操作し、表示範囲がレベルＢよりも狭くなるように、（例えば、駅周辺の地図を指定するように）縮尺の値を変化させる。そうすると、測位起動部５は、ＧＰＳ測位部３ａを動作させるように制御する測位制御信号を位置検出手段３に出力する。そして、位置検出手段３は、ＧＰＳ測位部３ａを用いて位置情報を取得し、この位置情報を表示部４に出力する。したがって、表示部４は、地図エリア指定手段２で指定された表示範囲情報に応じた地図情報に、ＧＰＳ測位部３ａにより取得された位置情報を重ね合わせて表示する。
【００２７】
このように、第１の実施形態においては、測位起動部５は、地図情報の表示範囲があらかじめ設定された測位動作開始レベルの示す表示範囲よりも狭く指定されたときに位置検出手段を動作させるので、使用者Ｈが地図エリア指定手段２により地図情報の表示範囲を設定するだけで、測位動作開始レベルで設定された表示範囲の地図よりも表示範囲の狭い詳細な地図が必要なときにのみ位置検出手段３が動作する、操作性の良い位置検出端末Ｔを提供できる。
【００２８】
さらに、測位起動部５は、複数の測位動作開始レベルにより測位手法を選択して位置検出手段３を動作させるので、地図情報の表示範囲に応じて適切な位置検出手段を用いて測位することができる。
【００２９】
なお、ここでは、測位起動部５が、複数の測位動作開始レベルを有している場合について説明したが、測位動作開始レベルを１つだけ有し、地図情報の表示範囲が、あらかじめ設定された測位動作開始レベルの示す表示範囲よりも狭く指定されたときに位置検出手段３を動作させるようにしてもよい。
【００３０】
（第２の実施形態）
次に、請求項３の発明に係る位置検出システムの一実施形態を図２を用いて説明する。このものは、ネットワークＮに通信回線Ｌ１により接続される地図情報サーバＳと、使用者Ｈが携帯して操作する、ネットワークＮに通信回線Ｌ２により接続できる位置検出端末Ｔとを有して構成される。そして、地図情報サーバＳは、地図記憶部１と、測位起動部５と、第１の通信制御部６とを有して構成されており、位置検出端末Ｔは、地図エリア指定手段２と、位置検出手段３と、表示部４と、第２の通信制御部を有して構成されている。
【００３１】
まず、位置検出端末Ｔの各構成要素について説明する。地図エリア指定手段２は、例えば複数の押し釦やダイヤルなどにより文字や数値を入力するものであり、使用者Ｈにより操作されて表示範囲情報が入力される。例えば、使用者Ｈが、駅の名前と地図の縮尺を入力したときには、表示範囲情報は、地図情報中に含まれる駅の名前に対応する代表位置の座標と縮尺を有したものになる。また、縮尺を直接入力せずに、例えば、地図記憶部１に記憶されている広域地図、詳細地図などの地図の名称や、地図番号などの地図の種類によって入力し、それらの地図の情報から縮尺を得るようにしてもよい。このものは、位置検出手段３と、表示部４と、第２の通信制御部７とに接続され、入力された表示範囲情報は、第２の通信制御部７に出力される。
【００３２】
位置検出手段３は、位置検出端末Ｔ自身の位置情報を取得するものであり、第１の実施形態で述べたＧＰＳ測位部３ａにより構成されている。このものは、地図エリア指定手段２と、表示部４と、第２の通信制御部７とに接続されており、第２の通信制御部７から測位制御信号が入力され、取得した位置情報を表示部４に出力する。
【００３３】
表示部４は、位置情報と地図情報を表示できるものであり、例えば、液晶ディスプレイ（図示せず）と、表示する地図情報や位置情報を記憶する表示情報記憶部（図示せず）を有して構成されている。このものは、地図エリア指定手段２と、位置検出手段３と、第２の通信制御部７とに接続されており、第２の通信制御部７から地図情報が、位置検出手段３から位置情報が入力される。そして、入力された情報を、例えば地図情報と位置情報を重ね合わせるなどの画像処理をして表示する。
【００３４】
第２の通信制御部７は、設定されたプロトコルで外部との通信を制御するものである。このものは、地図エリア指定手段２と、位置検出手段３と、表示部４とに接続され、通信回線Ｌ２によりネットワークＮに接続されている。そして、このものは、地図エリア指定手段２から表示範囲情報を入力されると、通信回線Ｌ１，Ｌ２と、ネットワークＮとを介して地図情報サーバＳの第１の通信制御部６に表示範囲情報を送信する。また、このものは、第１の通信制御部６から送信された測位制御信号と、地図情報を受信する。そして、測位制御信号を受信するとそれを位置検出手段３に出力し、地図情報を受信するとそれを表示部４に出力する。
【００３５】
次に地図情報サーバＳの各構成要素について説明する。第１の通信制御部６は、設定されたプロトコルで外部との通信を制御するものである。このものは、地図記憶部１と、測位起動部５とに接続され、通信回線Ｌ１によりネットワークＮに接続されている。そして、このものは、第２の通信制御部７から送信された表示範囲情報を受信し、この表示範囲情報を地図記憶部１に出力する。そして、このものは、地図記憶部１から地図情報を入力されたときと、測位起動部５から測位制御信号を入力されたときに、通信回線Ｌ１，Ｌ２とネットワークＮを介して、第２の入力された情報及び信号を送信する。
【００３６】
地図記憶部１は、地図情報を記憶するものであり、例えばハードディスクなどの大容量の記憶装置により構成されている。このものは、測位起動部５と、第１の通信制御部６とに接続されている。このものは、第１の通信制御部６から入力される表示範囲情報が入力され、その表示範囲情報に応じた地図情報を第１の通信制御部６に出力する。また、入力された表示範囲情報を測位起動部５に出力する。ここで、表示範囲情報は、概略位置の座標（例えば、緯度、経度、高度）と、地図の縮尺とを有するものである。
【００３７】
測位起動部５は、位置検出手段３の動作を制御するものであり、地図記憶部１と、第１の通信制御部６とに接続されている。そして、このものは、地図記憶部１から、表示範囲情報を入力され、第１の通信制御部６に測位制御信号を出力する。このものは、位置検出手段３に測位動作を開始させる測位動作開始レベルがあらかじめ設定されている。この測位動作開始レベルは、表示範囲を示すものであり、例えば縮尺や、準備された地図名や、座標による範囲指定などで示される。ここでは、測位動作開始レベルは、縮尺を用いて行う。この測位動作開始レベルは、位置検出手段３（ここでは、ＧＰＳ測位部３ａ）の位置検出の精度を考慮して決定される。
【００３８】
この測位起動部５は、まず、地図記憶部１から入力された表示範囲情報と、あらかじめ設定されている測位動作開始レベルとを比較する。そして、表示範囲情報が、測位動作開始レベルよりも広い表示範囲を指定されたときには、位置検出手段３が測位しないように制御する測位制御信号を第１の通信制御部６に出力する。一方、測位動作開始レベルよりも狭い表示範囲を指定されたときには位置検出手段３を用いて測位するように制御する測位制御信号を第１の通信制御部６に出力する。
【００３９】
ネットワークＮは、例えば携帯電話などの公衆回線などの通信回線網である。通信回線Ｌ１，Ｌ２は、それぞれ、第１の通信制御部６、第２の通信制御部７をネットワークＮに接続するものである。そして、少なくとも通信回線Ｌ２は、ネットワークＮに無線で接続し、位置検出端末Ｔを携帯して移動することができるようにされている。
【００４０】
次に第２の実施形態の動作について説明する。ここでは、使用者Ｈが、ある駅の周辺にいて、位置検出端末Ｔを動作させる場合について説明する。まず、使用者Ｈは、地図エリア指定手段２を操作して、使用者Ｈのいる駅の名前と市の広域地図を指定して入力する。すると、地図エリア指定手段２は、それらを概略位置の座標と、縮尺に変換した表示範囲情報を第２の通信制御部７に出力する。そして、第２の通信制御部７は、第１の通信制御部６に、表示範囲情報を送信し、第１の通信制御部６は、地図記憶部１に表示範囲情報を出力する。
【００４１】
すると、地図記憶部１は、表示範囲に対応する地図情報を第１の通信制御部６に出力するとともに、表示範囲情報を測位起動部５に出力する。測位起動部５は、入力された表示範囲情報が測位動作開始レベルよりも広い表示範囲を示しているので、測位起動部５は、位置検出手段３を動作させないように制御する測位制御信号を第１の通信制御部６に出力する。
【００４２】
そして、第１の通信制御部６は、地図情報と測位制御信号とを第２の通信制御部７に送信し、第２の通信制御部７は、地図情報を表示部４に出力し、測位制御信号を位置検出手段３に出力する。ここで、測位制御信号が位置検出手段３を動作させる制御を行うものではないので、位置検出手段３は、動作しない。したがって、表示部４は、地図情報のみを表示する。
【００４３】
次に、使用者Ｈが、より詳細な情報を得るために地図エリア指定手段２を操作し、表示範囲が測位動作開始レベルよりも狭くなるように、（例えば、駅周辺の地図を指定するように）縮尺の値を変化する。そうすると、地図エリア指定手段２は、第２の通信制御部７に表示範囲情報を出力し、第１の通信制御部６を介して、地図記憶部１に表示範囲情報が入力される。そして、地図記憶部１は、表示範囲に対応する地図情報を第１の通信制御部６に出力するとともに、表示範囲情報を測位起動部５に出力する。
【００４４】
測位起動部５は、入力された表示範囲情報が測位動作開始レベルよりも狭い表示範囲を示しているので、測位起動部５は、位置検出手段３を動作させるように制御する測位制御信号を第１の通信制御部６に出力する。
【００４５】
そして、第１の通信制御部６は、地図情報と測位制御信号とを第２の通信制御部７に送信し、第２の通信制御部７は、地図情報を表示部４に出力し、測位制御信号を位置検出手段３に出力する。ここで、測位制御信号が位置検出手段３を動作させる制御を行うものであるので、位置検出手段３は、動作し、取得した位置検出端末Ｔの位置情報を表示部４に出力する。したがって、表示部４は、地図情報と位置情報が入力され、それらを重ね合わせて表示する。
【００４６】
このように、第２の実施形態においては、地図エリア指定手段２により指定された表示範囲情報を位置検出端末Ｔから地図情報サーバＳに送信し、この表示範囲の情報に応じた地図情報に加え、位置検出手段３を動作させる測位制御信号を地図情報サーバＳから位置検出端末Ｔに送信するとともに、その表示範囲が、あらかじめ設定された測位動作開始レベルの示す表示範囲よりも狭く指定されたときに、地図情報サーバＳから位置検出端末Ｔの位置検出手段３を動作させるので、使用者Ｈが位置検出端末Ｔの地図エリア指定手段２により地図情報の表示範囲を設定するだけで、測位動作開始レベルで設定された縮尺の地図よりも詳細な地図が必要なときにのみ位置検出手段３が動作する、操作性の良い位置検出システムを提供することができる。また、地図記憶部１と測位起動部５とを地図情報サーバＳ側に有するので、位置検出端末Ｔの構成を簡単にすることができる。
【００４７】
なお、通信回線Ｌ１，Ｌ２がネットワークＮに接続するものについてのみ説明したが、公衆回線網のようなネットワークＮが常に必要ということはなく、位置検出端末Ｔを携帯しつつ、位置検出端末Ｔと地図情報サーバＳとの情報通信が可能であれば、位置検出端末Ｔと、地図情報サーバＳが通信回線により、直接無線で接続されるものであってもよいし、他の接続形態を用いるものであってもよい。
【００４８】
また、測位起動部５を地図情報サーバＳに有する構成について説明したが、それに限るものではなく、位置検出端末Ｔに有していてもよい。
【００４９】
なお、地図記憶部１における地図情報の記憶は、広い範囲における詳細な地図情報を１つ有していてもよいし、縮尺の異なる地図情報を複数有していてもよい。
【００５０】
また、位置検出手段３は、ＧＰＳ測位部３ａと、無線基地局利用測位部３ｂとを有する場合についてのみ説明したが、それに限るものではなく、位置情報を取得できるものであれば、他の測位手段を設けるものであってもよい。
【００５１】
また、測位起動部５は、表示範囲情報のみで位置検出手段３に測位させるかどうかを判断したが、例えば、ユーザの操作状態、通信状態、通信費用など、その他の要素を含めて判断するようにしてもよい。そのようにすることにより、さらに操作性を向上させ、使用における柔軟性を高めることができる。
【００５２】
【発明の効果】
請求項１に係る発明によれば、測位起動部は、地図情報の表示範囲があらかじめ設定された測位動作開始レベルの示す表示範囲よりも狭く指定されたときに位置検出手段を動作させるので、使用者が地図エリア指定手段により地図情報の表示範囲を設定するだけで、測位動作開始レベルで設定された表示範囲の地図よりも表示範囲の狭い詳細な地図が必要なときにのみ位置検出手段が動作する、操作性の良い位置検出端末を提供できる。
【００５３】
請求項２に係る発明によれば、請求項１記載の効果に加え、測位起動部は、複数の測位動作開始レベルにより測位手法を選択して位置検出手段を動作させるので、地図情報の表示範囲に応じて適切な位置検出手段を用いて測位することができる。
【００５４】
請求項３に係る発明によれば、地図エリア指定手段により指定された表示範囲の情報を位置検出端末から地図情報サーバに送信し、この表示範囲の情報に応じた地図情報に加えて位置検出手段を動作させる信号を地図情報サーバから位置検出端末に送信するとともに、その表示範囲があらかじめ設定された測位動作開始レベルの示す表示範囲よりも狭く指定されたときに、地図情報サーバから位置検出端末の位置検出手段を動作させるので、使用者が位置検出端末の地図エリア指定手段により地図情報の表示範囲を設定するだけで、測位動作開始レベルで設定された縮尺の地図よりも表示範囲の狭い詳細な地図が必要なときにのみ位置検出手段が動作する、操作性の良い位置検出システムを提供することができる。
【図面の簡単な説明】
【図１】第１の実施形態を示すブロック図である。
【図２】第２の実施形態を示すブロック図である。
【図３】従来例の課題を改善した例を示すブロック図である。
【符号の説明】
１      地図記憶部
２      地図エリア指定手段
３      位置検出手段
３ａ    ＧＰＳ測位部
３ｂ    無線基地局利用測位部
４      表示部
５      測位起動部
６      第１の通信制御部
７      第２の通信制御部
Ｌ１，Ｌ２  通信回線
Ｎ      ネットワーク
【図１】
2004239803.tif 000003
【図２】
2004239803.tif 000004
【図３】
2004239803.tif 000005